(57)【要約】【課題】  肩関節周りの動きを容易にし、治療に伴う患者の苦痛を軽減する。【解決手段】  治療用ベッド１は、患者が横になる寝台部２と、寝台部２の下側に空間部４を形成する脚部３とを備える。寝台部２を長手方向に分割し、患者の頭を支持する短尺台５と、患者の胴および足を支持する長尺台６とを設ける。短尺台５と長尺台６との間に、患者の両肩を解放する第１開口部７を形成する。脚部３に、患者の腕を空間部４の内外に出し入れ自在とする第２開口部１４を第１開口部７に連続するように設ける。第２開口部１４は、第１開口部７に接続される幅狭部１７を備え、幅狭部１７よりも下位に幅広部１８を形成している。患者は、腕を伸ばして第１開口部７から降し、第２開口部１４を通して空間部４に旋回することで、姿勢を仰臥位から横臥位に楽に変換できる。【選択図】        図１
2013085644.tif 000002
【特許請求の範囲】
【請求項１】
患者が横になる寝台部と、寝台部の下側に空間部を形成する脚部とを備え、前記寝台部を長手方向に分割し、該寝台部に患者の頭を支持する短尺台と、患者の胴および足を支持する長尺台を設け、短尺台と長尺台との間に患者の両肩を解放する第１開口部を形成し、前記脚部に患者の腕を空間部の内外に出し入れ自在とする第２開口部を第１開口部に連続するように設けたことを特徴とする治療用ベッド。
【請求項２】
前記第１開口部を寝台部の水平面に拡がるように形成し、第２開口部を脚部の垂直面に拡がるように設けたことを特徴とする請求項１記載の治療用ベッド。
【請求項３】
前記短尺台と長尺台の相対向する端面に凹部を形成し、凹部により第１開口部の中央に大口穴を設けたことを特徴とする請求項１または２記載の治療用ベッド。
【請求項４】
前記第２開口部が第１開口部に接続される幅狭部を備えるとともに、幅狭部よりも下位に幅広部を含むことを特徴とする請求項１，２または３記載の治療用ベッド。
【請求項５】
前記第１開口部および第２開口部の幅を寝台部の長手方向へ調節するための幅調節機構を備えたことを特徴とする請求項１〜４の何れか一項に記載の治療用ベッド。
【請求項６】
前記寝台部の高さを調節するための高さ調節機構を備えたことを特徴とする請求項１〜５の何れか一項に記載の治療用ベッド。
【請求項７】
前記第１開口部近傍の寝台部に患者が手で掴む把手を設けたことを特徴とする請求項１〜６の何れか一項に記載の治療用ベッド。
【請求項８】
前記短尺台と長尺台との間に架設される枕を備え、枕の下面に第１開口部に嵌合する突部を形成したことを特徴とする請求項１〜７の何れか一項に記載の治療用ベッド。
【請求項９】
前記枕に患者の口と鼻を解放する切欠部を形成したことを特徴とする請求項８記載の治療用ベッド。
【発明の詳細な説明】
【技術分野】
【０００１】
本発明は、カイロプラクティック療法や医学療法に使用するベッド、特に、肩関節周りの治療に好ましく使用できる治療用ベッドに関する。
【背景技術】
【０００２】
治療中の患者の苦痛を軽減するために、従来、各種の治療用ベッドが提案されている。例えば、特許文献１には、患者が横になる寝台部に、身体を斜めに支える凹所と、腕を寝台部の下側に通す穴と、腕を水平に収める溝とを設けた治療用ベッドが記載されている。特許文献２には、寝台部を二つに切り離してＶ字形に変形する技術が提案されている。
【先行技術文献】
【特許文献】
【０００３】
【特許文献１】特開２００５−１３７８１０号公報
【特許文献２】特開２０００−１６６９８２号公報
【発明の概要】
【発明が解決しようとする課題】
【０００４】
ところで、肩関節周りに炎症や筋肉の緊張がある患者は、ベッドの上で腕を上下左右に動かすことが困難である。特に、仰臥位から横臥位に姿勢を変えるとき、寝台部が肩を圧迫するため、苦痛を伴う。寝台部に穴があっても、そこに腕を出し入れするのも容易ではない。このため、肩関節の周辺は、患者が自発的に動かすことも、治療者が強制的に動かすことも困難となり、治療効果が限られるという問題点もあった。
【０００５】
そこで、本発明の目的は、肩関節周りの動きを容易にし、治療に伴う患者の苦痛を軽減できる治療用ベッドを提供することにある。
【課題を解決するための手段】
【０００６】
上記課題を解決するために、本発明は次のような治療用ベッドを提供する。
（１）患者が横になる寝台部と、寝台部の下側に空間部を形成する脚部とを備え、寝台部を長手方向に分割して、患者の頭を支持する短尺台と、患者の胴および足を支持する長尺台を設け、短尺台と長尺台との間に患者の両肩を解放する第１開口部を形成し、脚部には患者の腕を空間部の内外に出し入れ自在とする第２開口部を第１開口部に連続するように設けたことを特徴とする治療用ベッド。
【０００７】
（２）第１開口部を寝台部の水平面に拡がるように形成し、第２開口部を脚部の垂直面に拡がるように設けたことを特徴とする治療用ベッド。
【０００８】
（３）短尺台と長尺台の相対向する端面に凹部を形成し、凹部により第１開口部の中央に大口穴を設けたことを特徴とする治療用ベッド。
【０００９】
（４）第２開口部が第１開口部に接続される幅狭部を備えるとともに、幅狭部よりも下位に幅広部を含むことを特徴とする治療用ベッド。
【００１０】
（５）第１開口部および第２開口部の幅を寝台部の長手方向へ調節するための幅調節機構を備えたことを特徴とする治療用ベッド。
【００１１】
（６）寝台部の高さを調節するための高さ調節機構を備えたことを特徴とする治療用ベッド。
【００１２】
（７）第１開口部近傍の寝台部に患者が手で掴む把手を設けたことを特徴とする治療用ベッド。
【００１３】
（８）短尺台と長尺台との間に架設される枕を備え、枕の下面に第１開口部に嵌合する突部を形成したことを特徴とする治療用ベッド。
【００１４】
（９）枕に患者の口と鼻を解放する切欠部を形成したことを特徴とする治療用ベッド。
【発明の効果】
【００１５】
本発明の治療用ベッドによれば、寝台部に患者の両肩を解放する第１開口部を形成し、脚部に患者の腕を空間部の内外に出し入れ自在とする第２開口部を設けたので、肩関節周りの動きを容易にし、治療に伴う患者の苦痛を軽減できるという効果がある。
【図面の簡単な説明】
【００１６】
【図１】本発明の一実施形態を示す治療用ベッドの斜視図である。
【図２】図１の治療用ベッドの平面図である。
【図３】治療用ベッドの使用例を示す平面図である。
【図４】治療用ベッドの別の使用例を示す縦断面図である。
【図５】寝台部を高さ調節可能とした治療用ベッドを示す正面図である。
【図６】第１開口部に枕を装備した治療用ベッドを示す部分図である。
【図７】第２開口部を円形に形成した治療用ベッドを示す斜視図である。
【発明を実施するための形態】
【００１７】
以下、本発明の実施形態を図面に基づいて説明する。図１、図２に示すように、この実施形態の治療用ベッド１は、患者Ｐが横になる寝台部２と、寝台部２を床面から所定の高さ（例えば、８５ｃｍ程度）に支持する脚部３とを備えている。脚部３は、パイプまたは棒材を用いて四角箱形に組み立てられ、寝台部２の下側に空間部４を形成している。
【００１８】
寝台部４は長方形の板材で形成されている。この板材は長手方向に分割され、寝台部４に患者Ｐの頭を支持する短尺台５と、患者Ｐの胴および足を支持する長尺台６とが設けられている。そして、短尺台５と長尺台６との間に、患者Ｐの両肩を解放するために、前後幅１５ｃｍ程度の第１開口部７が寝台部２の水平面に拡がるように形成されている。
【００１９】
短尺台５の上面には患者Ｐの頚椎を保護するための枕８が載置され、第１開口部７に近い長尺台６の上面に患者Ｐが手で掴む把手９が設けられている。短尺台５と長尺台６の相対向する端面には凹部１０が形成され、凹部１０により第１開口部７の左右方向中央に大口穴１１が設けられている。なお、寝台部４の表面をクッション材で被覆してもよい。
【００２０】
脚部３は、短尺台５を支持する前枠１２と、長尺台６を支持する後枠１３とに分割されている。前枠１２と後枠１３との間には、患者Ｐが腕を空間部４の内外に出し入れするための第２開口部１４と、第１開口部７および第２開口部１４の幅を寝台部２の長手方向へ調節するためのネジ１５を備えた幅調節機構１６が設けられている。
【００２１】
第２開口部１４は、第１開口部７に連続して脚部２の垂直面に拡がるように形成されている。第２開口部１４の上端には第１開口部７に接続される幅狭部１７が設けられ、幅狭部１７よりも下位に幅広部１８が形成されている。そして、図４に示すように、患者Ｐが腕を第２開口部１４に通して空間部４の内外に出し入れできるようになっている。
【００２２】
図５に示す治療用ベッド２１は、寝台部２の高さを調節するための高さ調節機構２２を装備している。高さ調節機構２２は、寝台部２を昇降自在に支持するガスシリンダ２３と、寝台部２に連動する可動アーム２４と、可動アーム２４を脚部３に締め付ける締結具２５とで構成され、寝台部２の高さに応じて第２開口部１４が伸縮するようになっている。
【００２３】
図６に示すように、寝台部２の短尺台５と長尺台６との間には枕２６が架設されている。この枕２６は、図１に示す枕８とは異なる形状で成形され、第１開口部７に被さる一対の被覆片２７と、第１開口部７に嵌合する突部２８と、患者の口と鼻を解放する切欠部２９とを備えている。そして、肩関節周り以外の治療に際し、寝台部２を低く（例えば、４０〜６０ｃｍ）調節し、枕２６で第１開口部７を塞ぎ、治療者が患者の所要部位を容易に押圧できるようになっている。
【００２４】
上記のように構成された治療用ベッド１によれば、寝台部２に第１開口部７を形成し、脚部３に第２開口部１４を設けたので、患者は肩関節を圧迫されることなく両腕を楽に動かすことができる。例えば、図２に示すように、患者Ｐは寝台部２の上で仰臥位の姿勢をとり、両腕を水平方向に伸展または屈伸し、肩関節Ｃの周辺の緊張を解すことができる。
【００２５】
また、患者Ｐは、図３に示すように、腕を伸ばしたまま、身体を寝台部２の上で回転し、片方の腕を第１開口部７から降し、図４に示すように、第２開口部１４を通して空間部４に回し入れることで、肩関節Ｃ周りに苦痛を伴うことなく、姿勢を仰臥位から横臥位に、または、横臥位から仰臥位に容易に変換することができる。
【００２６】
横臥位では、片方の手におもりＤを持ち、その腕を空間部４で旋回することにより、肩関節Ｃ周りの筋肉に遠心力による弛緩作用を与えることができる。このとき、第１開口部７の中央に大口穴１１が形成されているため、上腕部の付根付近が寝台部２によって圧迫されるおそれがない。
【００２７】
従って、肩関節Ｃ周りにおける患者Ｐの自発的な運動も、治療者による強制的な運動も、さほどの苦痛を伴うことなく実施でき、もって、カイロプラクティック療法による治療効果を高めることができる。
【００２８】
なお、本発明は上記実施形態に限定されるものではなく、発明の趣旨を逸脱しない範囲で、各部の構成や形状を適宜変更して実施することもできる。例えば、図７に示す治療用ベッド３１では、脚部３２が板材で四角箱形に構成されている。第２開口部３３は、円形に形成され、上端に幅狭部３４を備え、それより下位に幅広部３５が形成されている。
【符号の説明】
【００２９】
１    治療用ベッド
２    寝台部
３    脚部
４    空間部
５    短尺台
６    長尺台
７    第１開口部
９    把手
１０    凹部
１１    大口穴
１４    第２開口部
１６    幅調節機構
１７    幅狭部
１８    幅広部
２２    高さ調節機構
２６    枕
２８    突部
２９    切欠部
【図１】
2013085644.tif 000003
【図２】
2013085644.tif 000004
【図３】
2013085644.tif 000005
【図４】
2013085644.tif 000006
【図５】
2013085644.tif 000007
【図６】
2013085644.tif 000008
【図７】
2013085644.tif 000009